(57)【要約】【課題】流路の内径を確保しつつ、流路内部に設置でき、圧損の増加を抑制することができる可変風量装置を提供する。【解決手段】通風路内に設置され、通風路内を流れる空気の吹出し開口面積を調整するダンパ１１と、ダンパ１１を回動自在に保持する回動ガイド１４と、ダンパ１１と接続され、ダンパ１１を回動させてダンパの角度を変化させるダンパ回動駆動部と、回動ガイド１４と、ダンパ回動駆動部とを保持するベースブラケット１３とを備えた。【選択図】図１
2017219241.tif 000002
【特許請求の範囲】
【請求項１】
通風路内に設置され、
前記通風路内を流れる空気の吹出し開口面積を調整するダンパと、
前記ダンパを回動自在に保持する回動ガイドと、
前記ダンパと接続され、前記ダンパを回動させて前記ダンパの角度を変化させるダンパ回動駆動部と、
前記回動ガイドと、前記ダンパ回動駆動部とを保持するベースブラケット
とを備えた可変風量装置。
【請求項２】
前記ベースブラケットの長手方向端部には第１の接続部が設けられ、
前記第１の接続部と、前記通風路の内周に前記第１の接続部と対向するように設けられた第２の接続部とによって、前記通風路に着脱可能に取り付けられる
ことを特徴とする請求項１記載の可変風量装置。
【請求項３】
前記ベースブラケットはＬ字形状である
ことを特徴とする請求項１または請求項２記載の可変風量装置。
【請求項４】
前記ダンパの面が前記通風路内の空気の流れに対し垂直に向けられた全閉状態において、前記ダンパの外周と前記通風路の内壁面との間には、設定された隙間が設けられる
ことを特徴とする請求項１から請求項３のうちのいずれか１項記載の可変風量装置。
【請求項５】
前記通風路は、吹出しユニットに設置された筒状の空気搬送路接続装置であり、
少なくとも一部が前記空気搬送路接続装置に収納されて設置される
ことを特徴とする請求項１から請求項４のうちのいずれか１項記載の可変風量装置。
【請求項６】
隔壁で囲まれた内部空間と、第１の壁部に形成され当該第１の壁部に取り付けられた前記空気搬送路接続装置からの空気を取り込むための第１の開口部と、第２の壁部に形成され前記空気搬送路接続装置からの空気を室内に送出するための第２の開口部とを有する吹き出しユニット内において、前記空気搬送路接続装置に収納されて設置される
ことを特徴とする請求項５記載の可変風量装置。
【請求項７】
前記ダンパ回動駆動部は、
モータと、
一端が前記モータの回転軸に接続され、他端が前記ダンパに回動可能に接続されて、前記モータが発生させたトルクにより前記ダンパを回転駆動させるリンク機構とから構成される
ことを特徴とする請求項１から請求項６のうちのいずれか１項記載の可変風量装置。
【請求項８】
前記モータは、ギア付ステッピングモータである
ことを特徴とする請求項７記載の可変風量装置。
【発明の詳細な説明】
【技術分野】
【０００１】
この発明は、全館空調住宅、あるいは、ビル等の中央式空気調和システムの吹出しユニット等に設置される可変風量装置に関するものである。
【背景技術】
【０００２】
室内に送風する風量を調整する技術として、天井裏あるいは床下等、部屋の外でダクトに接続され、室内に送風する風量可変形吹出しユニット装置において、内部に風量可変ダンパが着脱自在に取り付けられるとともに部屋への吹出し口に連なる開口部を設けたケーシングと、当該ケーシング内に開口部から着脱自在に取り付けられたダンパ制御器と、部屋側から開口部に着脱自在に取り付けられる吹き出し口ユニット（グリル）とを具備する風量可変形吹出しユニット装置が知られている（例えば特許文献１）。
【先行技術文献】
【特許文献】
【０００３】
【特許文献１】特開平４−４５３４６号公報
【発明の概要】
【発明が解決しようとする課題】
【０００４】
従来の風量可変形吹出しユニット装置は、ダンパを設置するため、ケーシングの外側に、送風ダクトを受ける筒状の受け具を取り付け、当該受け具の中に着脱ダクトを取り付けて、当該着脱ダクトにダンパを収納するように構成されていた。
しかしながら、上述したような従来の構成では、送風ダクトを受ける筒状の受け具内に、さらに着脱ダクトが設置されているため、着脱ダクトの分だけ流路の内径が小さくなり、圧損が増加し、最大風量も減少するという課題があった。
【０００５】
この発明は、上記のような課題を解決するためになされたもので、流路の内径を確保しつつ、流路内部に設置でき、圧損の増加を抑制することができる可変風量装置を提供することを目的とする。
【課題を解決するための手段】
【０００６】
この発明に係る可変風量装置は、通風路内に設置され、通風路内を流れる空気の吹出し開口面積を調整するダンパと、ダンパを回動自在に保持する回動ガイドと、ダンパと接続され、ダンパを回動させてダンパの角度を変化させるダンパ回動駆動部と、回動ガイドと、ダンパ回動駆動部とを保持するベースブラケットとを備えたものである。
【発明の効果】
【０００７】
この発明によれば、流路の内径を確保しつつ、流路内部に設置でき、圧損の増加を抑制することができる。
【図面の簡単な説明】
【０００８】
【図１】図１は、この発明の実施の形態１に係る可変風量装置の構成を説明する図であって、図１Ａは、通風路を流れる空気に対してダンパ全閉状態とした場合を示す図であり、図１Ｂは、通風路を流れる空気に対してダンパ全開状態とした場合を示す図である。
【図２】実施の形態１おいて回動駆動部を構成するモータの構成の一例を説明する図である。
【図３】この発明の実施の形態１に係る可変風量装置の、空気搬送路接続装置への取り付け方法の一例を説明する図であって、図３Ａは、可変風量装置が空気搬送路に設けられた空気搬送路接続装置へ取り付けられる直前の状態を説明する図であり、図３Ｂは、可変風量装置が空気搬送路に設けられた空気搬送路接続装置へ取り付けられた状態を説明する図である。
【図４】図４は、この発明の実施の形態１に係る可変風量装置１が調整した空気を室内に送風する吹出しユニットの一例を説明するための図であって、図４Ａは、吹出しユニットの外観図であり、図４Ｂは、可変風量装置が空気搬送路接続装置に取り付けられ、ダンパ全開状態となっている吹出しユニットを、空気搬送路側からみた斜視図であり、図４Ｃは、可変風量装置が空気搬送路接続装置に取り付けられ、ダンパ全開状態となっている吹出しユニットを、室内への空気の送出口側からみた斜視図であり、図４Ｄは、図４Ｃにおいて、可変風量装置をダンパ全閉状態とした図である。
【発明を実施するための形態】
【０００９】
実施の形態１．
この発明の実施の形態１に係る可変風量装置１は、天井裏、あるいは、床下等、部屋の外においてダクト等の空気搬送路に接続された通風路内に取り付けられ、通風路経由で室内に送風される空気量を調整する。
【００１０】
図１は、この発明の実施の形態１に係る可変風量装置１の構成を説明する図であって、図１Ａは、通風路を流れる空気に対してダンパ全閉状態とした場合を示す図であり、図１Ｂは、通風路を流れる空気に対してダンパ全開状態とした場合を示す図である。
なお、この実施の形態１において、ダンパ全閉状態とは、ダンパ１１の面が、通風路内の空気の流れに対して垂直に向けられた状態をいい、ダンパ全開状態とは、ダンパ１１の面が、通風路内の空気の流れに対して水平に向けられた状態をいう。この実施の形態１において、ダンパ１１が通風路内の空気の流れに対して垂直に向けられた状態とは、略垂直に向けられた状態であることを含み、ダンパ１１が、通風路内を流れる空気を、その構造・構成において最も妨げられる程度に向けられていればよい。また、この実施の形態１において、ダンパ１１が通風路内の空気の流れに対して水平に向けられた状態とは、略水平に向けられた状態であることを含み、ダンパ１１が、通風路内を流れる空気を、当該空気の流れをその構造・構成において極力妨げることなく最も通過させられる程度に向けられていればよい。
【００１１】
可変風量装置１は、図１に示すように、通風路内に設置され、ダンパ１１と、モータ１２と、ベースブラケット１３と、回動ガイド部１４と、リンク機構１５と、接続部１６とを備える。
ダンパ１１は、通風路内を流れる空気の吹出し開口面積を調整する。
モータ１２は、ダンパ１１を回転駆動させるためのトルクを発生させる。
リンク機構１５は、ベースブラケット１３の開口部（図示省略）を貫通して設置されているモータ１２の回転軸（後述する図２参照）にその一端を接続して、モータ１２の回転軸を中心に回動自在に保持され、他端がダンパ１１に回動可能に接続され、モータ１２が発生させたトルクによりダンパ１１を回転駆動させる。具体的には、リンク機構１５は、リンク部材１５ａとリンク部材１５ｂとからなり、リンク部材１５ａとリンク部材１５ｂとが摺動体としての連結軸１５ｃによって回動可能に連結され、リンク部材１５ａ，１５ｂの、連結軸１５ｃと反対側の一端が、それぞれ、モータ１２の回転軸とダンパ１１とに回動可能に接続される。連結軸１５ｃは、図示していないが、段付きネジ（段部の外周部で摺動）、あるいは、カラー（カラーの外周部で摺動）とそれを貫通するネジなどから構成される。また、リンク部材１５ａ，１５ｂは樹脂で構成しているが、金属など他の材質で構成することもできる。
なお、ここでは、リンク機構１５は、上述のように、リンク部材１５ａとリンク部材１５ｂとからなり、リンク部材１５ａとリンク部材１５ｂとが連結軸１５ｃによって回動可能に連結される構成としたが、これは一例に過ぎず、リンク機構１５は、一端をモータ１２の回転軸に接続して、モータ１２の回転軸を中心に回動自在に保持され、他端がダンパ１１に回動可能に接続されて、モータ１２が発生させたトルクによりダンパ１１を回転駆動可能な構成になっていればよい。
【００１２】
この実施の形態１では、モータ１２とリンク機構１５とで、回動駆動部を構成する。
ここで、図２は、実施の形態１おいて回動駆動部を構成するモータ１２の構成の一例を説明する図である。
図２に示すように、この実施の形態１において、モータ１２は、ギア付ステッピングモータとする。これにより、モータ１２は、電圧パルス、あるいは、電流パルス入力数のみでダンパ１１の動作角度を設定でき、ギアによって、回転トルク、および、電源オフ（無励磁）状態におけるダンパ角度を保持するトルクを大きくすることができる。
【００１３】
回動ガイド部１４は、ダンパ１１の裏面、すなわち、空気の流れと対向する面とは反対側のダンパ１１の表面において、ダンパ１１の直径上に、回転軸が空気の流れと略垂直になるように取り付けられ、ダンパ１１を回動自在に保持する。また、回動ガイド部１４は、ベースブラケット１３に切り起こして形成されたガイド部材１４ａと、ダンパにネジ留めやスポット溶接等により取付けられたガイド部材１４ｂと、それらを摺動可能に接続する接続軸１４ｃとから構成される。回動ガイド部１４は、この構造に限られるものではなく、例えば、一般のヒンジ、あるいは、蝶番等でもよい。
ベースブラケット１３は、ダンパ１１を保持する回動ガイド部１４と、リンク機構１５に接続されて回動駆動部を構成するモータ１２とを保持する。この実施の形態１において、ベースブラケット１３は、Ｌ字形状となるよう形成される。これにより、ベースブラケット１３の強度を強くすることができ、変形を抑制することができる。
ベースブラケット１３は、Ｌ字を形成するベースブラケット１３のそれぞれの面が、ダンパ全閉状態において、ダンパ１１の表面と直交するように、ダンパ１１を保持する。
【００１４】
接続部（第１の接続部）１６は、Ｌ字形状のベースブラケット１３の長手方向の端部に設けられる。ここでは、図１Ａに示すように、接続部１６は、２箇所設けられ、それぞれ、ベースブラケット１３の長手方向の端部の、ダンパ全閉状態におけるダンパ１１とは反対側の辺の一部において、Ｌ字形状のベースブラケット１３の本体に対し直角に起立して設けられている。具体的には、それぞれ、ベースブラケット１３を形成する際に、当該ベースブラケット１３の長手方向の端部に一定の高さを有する切り残し部（図示省略）が設けられ、当該切り残し部をダンパ１１側へ直角に曲げ起こして形成されるものとする。ここでは、直角とは、略直角を含む。また、ここでは、接続部１６はネジ穴を有するものとする。
この実施の形態１では、回動ガイド部１４が保持されるほうの面の長手方向の端部に設けられた接続部１６を、回動ガイド側接続部１６ａとし、ベースブラケット１３の、モータ１２が保持されるほうの面の長手方向の端部に設けられた接続部１６を、モータ側接続部１６ｂとする。
接続部１６は、通風路の内壁に２箇所設けられた接続部とそれぞれ接続される。通風路の内壁に設けられた接続部、および、接続方法については後述する。
なお、上述した接続部１６の形成方法は一例にすぎず、その他の方法で接続部１６が形成されるものであってもよく、接続部１６が、通風路の内壁に設けられた接続部と接続されるようになっていればよい。
【００１５】
可変風量装置１において、回動駆動部がトルクを発生させ、ダンパ１１を回転駆動させる動作は、可変風量装置１を総括的に制御する制御部（不図示）により制御される。
例えば、ダンパ１１が、図１Ａに示すように全閉状態から、制御部の制御に基づき、モータ１２がトルクを発生させると、リンク部材１５ａがモータ１２の回転軸を中心に図１Ａ上時計回転方向に回動する。これに伴い、連結軸１５ｃでリンク部材１５ａと摺動可能に接続されたリンク部材１５ｂも引っ張られて図１Ａ上時計回転方向に回動し、リンク部材１５ｂの他端に接続され、回動ガイド部１４により回動自在に保持されたダンパ１１を開き方向へ回動させることができる。
【００１６】
また、例えば、ダンパ１１が、図１Ｂに示すように全開状態から、制御部の制御に基づき、モータ１２がトルクを発生させると、リンク部材１５ａがモータ１２の回転軸を中心に図１Ｂ上反時計回転方向に回動する。これに伴い、連結軸１５ｃでリンク部材１５ａと摺動可能に接続されたリンク部材１５ｂも押されて図１Ｂ上反時計回転方向に回動し、リンク部材１５ｂの他端に接続され、回動ガイド部１４により回動自在に保持されたダンパ１１を閉じ方向へ回動させることができる。
【００１７】
このように、制御部の制御に基づき、可変風量装置１において、ダンパ１１が、図１Ａに示すダンパ全閉状態から、図１Ｂに示すダンパ全開状態まで、９０度程度回動可能となる。なお、可変風量装置１は、ダンパ１１を、全閉状態から全開状態までの間の適宜の位置まで回動させて、その角度を保持することができる。
【００１８】
従来から知られているような技術では、ダンパの直径方向に回転軸を設け、当該回転軸を、ダンパの外周の外側に位置する着脱ダクトなどの管を貫通して延長することによりダンパが３６０度回転自在なダンパ保持構造としている。さらに、着脱ダクトなどの管の外側でダンパモータの回転軸と、回転歯車を介し、当該回転歯車の噛み合わせにより回転結合するようにしているため、駆動機構としてもダンパを３６０度回転できる構造になっていた。しかしながら、ダンパは、風量を調整するという機能上、最大でも９０度回転できるようになっていればよく、３６０度回転させる必要はない。
そこで、この実施の形態１に係る可変風量装置１では、上述のように、ダンパ１１を９０度回転可能とし、ダンパ１１を回転可能に保持する回動ガイド部１４をベースブラケット１３で保持させるようにした。
また、ダンパ１１を回動駆動させる回動駆動部も、少なくとも９０度回転できれば良い構造とし、具体的には、モータ１２を、ベースブラケット１３に取り付けられるようにし、モータ１２の回転軸にその一端が接続されモータ１２のトルクにより回動するリンク機構１５が、直接ダンパ１１と接続されるようにした。
これにより、着脱ダクト、および、着脱ダクトの外側でダンパの回転軸とダンパモータの回転軸とを回転歯車の噛み合わせにより回転結合させるような構成を不要としている。
その結果、着脱ダクトが不要になるため、着脱ダクトの分だけ流路の内径が小さくなることがなく、圧損が増加することを抑制し、最大風量が減少することも抑制することができる。また、通風路の外側に回動駆動部を配置する必要がなくなり、通風路内からのメンテナンスなどが可能とすることができる。
また、モータ１２とダンパ１１との接続においてリンク機構１５を用いているため、取り付けのずれ等に対する許容度や設計自由度を大きくすることができる。
【００１９】
また、可変風量装置１において、ダンパ１１の直径は、通風路の直径にあわせて適宜設定可能とするが、図１Ａに示すように、ダンパ１１が、通風路内の空気の流れに対して垂直に向けられたダンパ全閉状態において、ダンパ１１の外周と通風路の内壁面との間に予め設定された隙間（図１Ａのｈ）が設けられるようにする。
予め設定された隙間とは、ダンパ１１の外周と通風路の内壁面との間に必要最低換気風量を流すことができるだけの間隔であればよい。
例えば、内径約φ１５０ｍｍのダクトが接続される筒状の空気搬送路接続装置２１（外形約φ１４８ｍｍ、内径約φ１４６ｍｍ。空気搬送路接続装置２１については、図３等を用いて後述する）においては、ダンパ直径は約φ１４０ｍｍに設定される。つまり、ダンパの外周と通風路の内壁面との間に必要最低換気風量を流すことができる隙間は、３ｍｍ程度に設定される。この隙間の面積は、通風路（空気搬送路接続装置２１の内側）の断面積の１０％程度に設定されている。気密住宅などで決められている必要最低換気風量は、例えば、４畳半（天井高さ２．５ｍ）の部屋における最低換気量は、約１０ｍ３/ｈである。なお、この隙間は、ダンパの設置ずれや通風路の歪みなどによるダンパと通風路内壁の接触を防止する目的も兼ねている。
このように、ダンパ１１の外周と通風路の内壁面との間に予め設定された隙間が設けられるようにすることで、ダンパ１１の状態にかかわらず、気密住宅などで決められている必要最低換気風量を確保することができる。
なお、上述の隙間は必ず必要なものではなく、全閉時に風量がほぼゼロになるような構造にしてもよい。例えば、ダンパ形状を楕円にして通風路内壁に接触させて閉め切れるようにしたり（不図示）、通風路内壁に沿った突起部を形成してダンパを押し当てて閉め切れるようにしてもよい（不図示）。
【００２０】
次に、図１Ａ，図１Ｂを用いて説明した可変風量装置１の取り付け方法について、図１Ａ，図１Ｂでの通風路に相当する空気搬送路接続装置２１を例にして説明する。
図３は、この発明の実施の形態１に係る可変風量装置１の、空気搬送路接続装置２１への取り付け方法の一例を説明する図であって、図３Ａは、可変風量装置１が空気搬送路に接続される空気搬送路接続装置２１へ取り付けられる直前の状態を説明する図であり、図３Ｂは、可変風量装置１が空気搬送路に接続される空気搬送路接続装置２１へ取り付けられた状態を説明する図である。
なお、ここでは、空気搬送路とは、ダクト等、空調機からの空気を搬送する通風路のことをいう。
ダクト等の空気搬送路には、当該空気搬送路を受ける筒状の空気搬送路接続装置２１が取り付けられ、当該空気搬送路接続装置２１に可変風量装置１が取り付けられる。
図３Ａに示すように、空気搬送路接続装置２１の内周面には、中央側に突起した接続部２２が設けられる。接続部２２は、ここでは、ネジ穴を有するものとし、ネジ留め等により、空気搬送路接続装置２１の内周面に取り付けられるものとする。
なお、接続部（第２の接続部）２２は、空気搬送路接続装置２１の内周の中心と可変風量装置１のダンパ１１の中心とが同軸上になるように空気搬送路接続装置２１と可変風量装置１とを対向させて配置した状態で、可変風量装置１のベースブラケット１３の長手方向端部に設けられた回動ガイド側接続部１６ａおよびモータ側接続部１６ｂにそれぞれ対向する位置に２箇所設けられる。
ここでは、可変風量装置１の回動ガイド側接続部１６ａと対向する接続部２２を、空気搬送路接続装置２１の回動ガイド側接続部２２ａ、可変風量装置１のモータ側接続部１６ｂと対向する接続部２２を、空気搬送路接続装置２１のモータ側接続部２２ｂとする。
【００２１】
可変風量装置１は、空気搬送路側のダンパ１１の表面が空気搬送路接続装置２１と対向する向きで、可変風量装置１の回動ガイド側接続部１６ａ，モータ側接続部１６ｂと、空気搬送路接続装置２１の回動ガイド側接続部２２ａ，モータ側接続部２２ｂとによって、空気搬送路接続装置２１に着脱可能に取り付けられる。
可変風量装置１を空気搬送路接続装置２１に取り付ける際は、空気搬送路接続装置２１の回動ガイド側接続部２２ａと可変風量装置１の回動ガイド側接続部１６ａの位置をあわせ、ネジ３１ａにスプリングワッシャ３２ａ、ワッシャ３３ａを、スプリングワッシャ３２ａ、ワッシャ３３ａの順に嵌め、当該スプリングワッシャ３２ａおよびワッシャ３３ａを嵌めたネジ３１ａを可変風量装置１側から締め付けて、回動ガイド側接続部１６ａを回動ガイド側接続部２２ａに固定する。
また、空気搬送路接続装置２１のモータ側接続部２２ｂと可変風量装置１のモータ側接続部１６ｂの位置をあわせ、ネジ３１ｂにスプリングワッシャ３２ｂ、ワッシャ３３ｂを、スプリングワッシャ３２ｂ、ワッシャ３３ｂの順に嵌め、当該スプリングワッシャ３２ｂおよびワッシャ３３ｂを嵌めたネジ３１ｂを可変風量装置１側から締め付けて、モータ側接続部１６ｂをモータ側接続部２２ｂに固定する。
これにより、可変風量装置１が、空気搬送路接続装置２１に取り付けられる。
【００２２】
図３Ｂに示すように、可変風量装置１が空気搬送路接続装置２１に取り付けられると、可変風量装置１の一部が空気搬送路接続装置２１内に収納される。
具体的には、可変風量装置１のダンパ１１と回動ガイド部１４、および、ベースブラケット１３の一部と、モータ１２の一部と、リンク機構１５の一部とが、空気搬送路接続装置２１内に収納される。なお、可変風量装置１が機能するには、少なくともダンパ１１が、空気搬送路接続装置２１内に収納されていればよい。
このように、筒状の空気搬送路接続装置２１が、空調機と接続されるダクト等の空気搬送路との接続のための部品と、風量を制御する可変風量装置１の通風路としての構成部品を兼ねることができ、着脱ダクト等を必要としない分、ダンパ１１の取り付けの際の部品点数を削減することができる。
【００２３】
なお、可変風量装置１を取り外す際は、ネジ３１ａ，ネジ３１ｂをゆるめて取り外せばよい。
このように、可変風量装置１は、ネジ２本によって、空気搬送路接続装置２１に容易に取り付け、あるいは、取り外しを行うことができる。
【００２４】
図４は、この発明の実施の形態１に係る可変風量装置１が調整した空気を室内に送風する吹出しユニット４１の一例を説明するための図である。
図４Ａは、吹出しユニット４１の外観図であり、図４Ｂは、可変風量装置１が空気搬送路接続装置２１に取り付けられ、ダンパ全開状態となっている吹出しユニット４１を、空気搬送路側からみた斜視図であり、図４Ｃは、可変風量装置１が空気搬送路接続装置２１に取り付けられ、ダンパ全開状態となっている吹出しユニット４１を、室内への空気の送出口側からみた斜視図であり、図４Ｄは、図４Ｃにおいて、可変風量装置１をダンパ全閉状態とした図である。
【００２５】
吹出しユニット４１は、天井裏や床下等、部屋の外でダクト等に接続され、可変風量装置１が調整した空気を室内に送風する。
図４Ａに示すように、吹出しユニット４１は、隔壁で囲まれた内部空間と、壁部に形成された第１の開口部４２、第２の開口部４３を有する。ここでは、第１の開口部４２が形成される壁部を第１の壁部、第２の開口部４３が形成される壁部を第２の壁部ともいうものとする。
第１の壁部の外側には、空調機からの空気搬送路と接続される、筒状の空気搬送路接続装置２１が、例えば、ネジ留め等により取り付けられ、第１の開口部は、当該空気搬送路接続装置２１からの空気を、吹出しユニット４１内部に取り込むための流入口である。なお、図４Ｂ〜図４Ｄに示すように、第１の開口部４２の内周は、空気搬送路接続装置２１の内周と略同じになるようにする。
第２の開口部は、室内に送風を行うための吹き出し口であり、空気搬送路接続装置２１からの空気を室内に送出するための吹き出し口である。
なお、第２の開口部４３には、格子状のグリル４４が着脱可能に嵌めこまれている。
【００２６】
図４Ｂ〜図４Ｄに示すように、可変風量装置１は、第２の開口部４３を利用してアクセス可能であるため、例えば、可変風量装置１のメンテナンスや交換の際には、作業者等が、第２の開口部４３に嵌めこまれているグリル４４を取り外して、メンテナンスや交換の対応をすることができる。
このように、室内に向けて開口している第２の開口部４３を利用して可変風量装置１の取り外し、取り付け、あるいは、メンテナンスを行うことができるので、例えば、天井等に、可変風量装置１の着脱あるいはメンテナンスのための点検口を設ける必要がなく、点検口設置のための面倒な工事を不要とし、天井等の外観を損なうこともなく、容易に可変風量装置１の取り外し、取り付け、あるいは、メンテナンスを行うことが可能となる。
【００２７】
なお、第１の開口部４２に対するダンパ１１の開口方向は、図４に示されたものに限定されるものではなく、どの向きに配置してもよい。また、第１の開口部４２は、図４に示されたものに限定されるものではなく、吹出しユニット４１の第２の開口部４３以外の壁部であればどこの壁部に設けられてもよい。
【００２８】
また、可変風量装置１の、空気搬送路接続装置２１内の空気の流れ方向における配置は、図４に示されたものに限定されず任意に決めてよいが、空気搬送路接続装置２１内の空気の流れ方向におけるダンパ１１の位置、つまり、ダンパ１１の全閉時の面から吹出しユニット４１の第１の開口部４２までの距離はダンパ１１の開度と風量の特性に影響するので、設置性やメンテナンス性からの要求も考慮して、妥当な性能になる位置に設定する。また、さらなる圧損低減のため、モータ１２、リンク機構１５、ベースブラケット１３などの構成部品は、できるだけ空気の流れの抵抗にならないようなサイズ、形状、配置にすることが好ましく、空気搬送路接続装置２１から吹出しユニット４１内にはみ出すように配置することが圧損低減のためには好ましい。
また、ベースブラケット１３の接続部１６に対応する接続部２２を、空気搬送路接続装置２１内ではなく、吹出しユニット４１内に設置してもよい。
【００２９】
吹出しユニット４１の内部には、回動駆動部用回路（図示省略）がコネクタで接続されて設置される。
可変風量装置１の制御部は、回動駆動部用回路で発生したパルス電圧、あるいは、パルス電流をモータ１２に与えて、モータ１２にトルクを発生させる。
【００３０】
なお、以上の説明では、通風路や空気搬送路接続装置２１において、図３，図４に示すように、断面、すなわち、可変風量装置１が取り付けられる面は、円形としたが、これに限らず、例えば、楕円や、矩形などであってもよい。
また、可変風量装置１が備えるダンパ１１についても、円形に限定されず、例えば、楕円、矩形等、通風路や空気搬送路接続装置２１の断面にあわせた形状とすることができる。
【００３１】
また、以上の説明では、ベースブラケット１３は、Ｌ字形状としたが、これに限らず、例えば、Ｔ字形状、あるいは、Ｉ字形状等としてもよく、ダンパ１１の回動を妨げずにダンパ１１、あるいは、モータ１２等を保持できる強度があるものであればよい。
【００３２】
また、ベースブラケット１３には、ダンパ１１の全開位置、あるいは、全閉位置を規定するためのストッパが設けられるようにしてもよい。
【００３３】
また、以上の説明では、空気搬送路は、例えば、機械室などに設置された空調機に接続されたダクトを想定したが、これに限らず、空気搬送路は、天井と床に挟まれた空間である階間、床下の空間、中空パネル等、空気を搬送できる流路となるものであればよい。
【００３４】
また、以上の説明では、接続部１６，２２は、それぞれ２箇所設けられるとし、可変風量装置１と空気搬送路接続装置２１とが、２箇所で固定されて接続されるものとしたが、これに限らず、接続部１６，２２は、それぞれ、１箇所、あるいは、３箇所設けられるようにしてもよい。
【００３５】
また、上述したように、この発明の実施の形態１に係る可変風量装置１では、着脱ダクト、あるいは、着脱ダクトの外側でダンパの回転軸とダンパモータの回転軸とを回転歯車の噛み合わせにより回転結合させるような構成を不要としたため、着脱ダクト、あるいは、着脱ダクトの外側でダンパの回転軸とダンパモータの回転軸とを噛み合わせる歯車等を収納するためのスペースが不要となり、従来の吹出しユニットに比べて、吹出しユニット４１を小型化することができる。また、例えば、可変風量装置１を空気搬送路接続装置２１に取り付ける際に、モータ１２とダンパ１１との接続部などの位置合わせの必要がなく、取り扱いの煩雑さも緩和される。
【００３６】
また、この発明の実施の形態１に係る可変風量装置１は、上述したように、吹出しユニット４１での使用に適しているが、これに限らず、例えば、ダクト等の内部、あるいは、ダクトの分岐ボックス等の内部に設置して、ダクト等、あるいは、ダクトの分岐ボックス等を流れる風量を、可変風量装置１で調整するような用途に使用されるものであってもよい。
【００３７】
以上のように、この実施の形態１によれば、可変風量装置１は、通風路内を流れる空気の吹出し開口面積を調整するダンパ１１と、ダンパ１１を回動自在に保持する回動ガイド部１４と、ダンパ１１と接続され、ダンパ１１を回動させてダンパ１１の角度を変化させるダンパ回動駆動部とを備え、当該可変風量装置１が通風路内に設置されるようにしたので、着脱ダクトのような部品を不要とし、流路の内径を確保し、圧損の増加を抑制することができる。
【００３８】
また、可変風量装置１は、ベースブラケット１３の長手方向端部には接続部（第１の接続部）１６が設けられ、接続部（第１の接続部）１６と、通風路の内周に接続部（第１の接続部）１６と対向するように設けられた接続部（第２の接続部）２２とによって、通風路に着脱可能に取り付けられるようにしたので、可変風量装置１を容易に着脱可能とすることができる。
【００３９】
また、ベースブラケット１３はＬ字形状としたので、強度を強くすることができ、変形を抑制できる。
【００４０】
また、ダンパ１１の面が通風路内の空気の流れに対し垂直に向けられた全閉状態において、ダンパ１１の外周と通風路の内壁面との間には、設定された隙間が設けられるようにしたので、ダンパ１１の状態にかかわらず、気密住宅等で決められている必要最低換気風量を確保することができる。
【００４１】
また、通風路は、吹出しユニット４１に設置された筒状の空気搬送路接続装置２１であり、可変風量装置１は、少なくとも一部が空気搬送路接続装置２１に収納されて設置されるため、筒状の空気搬送路接続装置２１が、空調機と接続されるダクト等の空気搬送路との接続のための部品と、風量を制御する可変風量装置１の構成部品を兼ねることができ、着脱ダクトを必要としない分、可変風量装置１を構成するための部品点数を削減することができる。
【００４２】
また、可変風量装置１は、隔壁で囲まれた内部空間と、第１の壁部に形成され当該第１の壁部に取り付けられた空気搬送路接続装置２１からの空気を取り込むための第１の開口部４２と、第２の壁部に形成され空気搬送路接続装置２１からの空気を室内に送出するための第２の開口部４３とを有する吹出しユニット４１内において、空気搬送路接続装置２１に収納されて設置されるようにしたので、室内に向けて開口している第２の開口部４３を利用して可変風量装置１の取り付け、取り外し、あるいは、メンテナンスを行うことができるので、例えば、天井等に、可変風量装置１の着脱あるいはメンテナンスのための点検口を設ける必要がなく、点検口設置のための面倒な工事を不要とし、天井等の外観を損なうこともなく、容易に可変風量装置１の取り付け、取り外し、あるいは、メンテナンスを行うことが可能となる。
【００４３】
また、ダンパ回動駆動部は、トルクを発生させるモータ１２と、一端がモータ１２の回転軸に接続され、他端がダンパ１１に回動可能に接続されて、モータ１２が発生させたトルクによりダンパ１１を回転駆動させるリンク機構１５とから構成されるようにしたので、モータ１２とダンパ１１との接続において、取り付けのずれ等に対する許容度や設計自由度を大きくすることができる。
【００４４】
また、モータ１２は、ギア付ステッピングモータとしたので、電圧パルス、あるいは、電流パルス入力数のみでダンパ１１の動作角度を設定でき、ギアによって、回転トルク、および、電源オフ（無励磁）状態におけるダンパ角度を保持するトルクを大きくすることができる。
【００４５】
なお、本願発明はその発明の範囲内において、実施の形態の任意の構成要素の変形、もしくは実施の形態の任意の構成要素の省略が可能である。
【符号の説明】
【００４６】
１  可変風量装置
１１  ダンパ
１２  モータ
１３  ベースブラケット
１４  回動ガイド部
１４ａ，１４ｂ  ガイド部材
１４ｃ  連結軸
１５  リンク機構
１５ａ，１５ｂ  リンク部材
１５ｃ  連結軸
１６  第１の接続部
１６ａ，２２ａ  回動ガイド側接続部
１６ｂ，２２ｂ  モータ側接続部
２１  空気搬送路接続装置
２２  第２の接続部
３１ａ，３１ｂ  ネジ
３２ａ，３２ｂ  スプリングワッシャ
３３ａ，３３ｂ  ワッシャ
４１  吹出しユニット
４２  第１の開口部
４３  第２の開口部
４４  グリル
【図１】
2017219241.tif 000003
【図２】
2017219241.tif 000004
【図３】
2017219241.tif 000005
【図４】
2017219241.tif 000006